(57)【要約】【課題】  特別な復号化手段を用いることなく取り出せる文字情報を記録することを可能にする。【解決手段】  最内周位置から最外周位置に向かって順に、時間アドレスＡｔ からＡ０ までの第一の管理領域である第１ＴＯＣ（table of contents ）領域１、時間アドレスＡ１ からＡ２ までの第１プログラム領域２、時間アドレスＡ２ からＡ３ までの第１プログラム終了領域、いわゆる第１リードアウト（lead out）領域３、時間アドレスＡ３ からＡ５ までの第二の管理領域である第２ＴＯＣ領域４、時間アドレスＡ５ からＡ６ までの第２プログラム領域５及び時間アドレスＡ６ からＡ７ までの第２リードアウト領域６を有している。【選択図】  図２
2004253132.tif 000002
【特許請求の範囲】
【請求項１】
データが記録されるディスク状記録媒体において、
少なくとも一つ以上のプログラムが記録されているプログラム領域と、
上記プログラム領域に記録されている各プログラムの絶対アドレス情報を含む第一管理情報が上記プログラム領域よりも内周側に記録されている第一の管理領域と、
上記第一の管理領域よりも外周側の別な領域に、上記各プログラム及び／又はディスク状記録媒体に対する属性を示す属性情報を含む第二管理情報が記録される第二の管理領域と
を有して成ることを特徴とするディスク状記録媒体。
【請求項２】
上記第一の管理領域には、上記第二の管理領域の記録位置を示すためのアドレス情報が更に記録されていることを特徴とする請求項１記載のディスク状記録媒体。
【請求項３】
上記プログラム領域に記録されるデータはオーディオデータであると共に、
上記第二の管理領域で管理される属性情報は、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報であることを特徴とする請求項１記載のディスク状記録媒体。
【請求項４】
上記プログラム領域に記録されるデータはオーディオデータであると共に、
上記第二の管理領域で管理される属性情報は、上記プログラムの最小レベルと、最大レベルと、平均レベルと、最頻度レベルとの内の少なくとも一つの情報であることを特徴とする請求項１記載のディスク状記録媒体。
【請求項５】
上記プログラム領域は、上記第二の管理領域よりも内周側に位置することを特徴とする請求項１記載のディスク状記録媒体。
【発明の詳細な説明】
【技術分野】
【０００１】
本発明は、少なくとも一つのプログラム領域と上記プログラム毎の経過時間及び全プログラムの全絶対時間が記録された管理情報記録領域とを有して成るディスク状記録媒体に関する。
【背景技術】
【０００２】
近年において、例えば音楽情報を記録したディスク状記録媒体、いわゆるコンパクトディスク（compact discs：ＣＤ ）等の光ディスクを再生するディスク再生装置が、普及してきている。
【０００３】
この光ディスクにデータを記録する際のフォーマットは、図９に示すように、光ディスクの内周から外周に向かって、プログラム管理領域であるＴＯＣ（table of contents ）領域９１、プログラム領域９２、プログラム終了領域、いわゆるリードアウト（lead out）領域９３とから構成される。
【０００４】
オーディオ情報を記録したオーディオ用光ディスクにおいては、上記プログラム領域９２にオーディオデータが記録され、上記光ディスクに記録されたプログラム毎の演奏時間、プログラム数、総演奏時間等が上記ＴＯＣ領域９１で管理される。
【０００５】
また、上記ディスク再生装置によるプログラム領域９２内のオーディオデータの読み出しが終了して、上記リードアウト領域９３にピックアップが到達したときに、上記ディスク再生装置は上記オーディオ用光ディスクの再生動作を終了する。
【０００６】
ここで、上記ディスク再生装置は、図１０に示すように、オーディオ用光ディスク６１のオーディオデータをピックアップ６２にて読み出し、このオーディオデータをディジタル信号処理回路６６にて処理して得られる再生データを、デジタル信号出力端子７５、またはアナログ信号出力端子右チャンネル及び左チャンネルＲ、Ｌから出力する。
【０００７】
上記ディスク再生装置によれば、ピックアップ６２を用いて、オーディオ用光ディスクから再生信号を読み出してアナログ波形整形回路６４に上記再生信号を伝送する。
【０００８】
さらに、上記ディスク再生装置から再生したフォーカスサーボエラー信号をフォーカスサーボ回路７０に、また、トラッキングサーボエラー信号及びスレッドサーボエラー信号をトラッキング７１及びスレッドサーボ回路７１にそれぞれ伝送する。
【０００９】
アナログ波形整形回路６４は、上記再生信号を２値化した信号に波形整形して、同期検出回路６５及びクロック生成回路６７に上記２値化した信号を伝送する。
【００１０】
同期検出回路６５は、クロック生成回路６７から送られるクロックに基づいて、上記２値化した信号からフレーム同期信号を抽出し、上記フレーム同期信号と上記クロックとをディジタル信号処理回路６６に送る。
【００１１】
このフレーム同期信号が検出された２値化信号は、デジタル信号処理回路６６に伝送され、上記デジタル信号処理回路６６にて水晶発振器６９からの基準クロックと上記クロック生成回路６７からのクロックに基づいて再生信号より再生クロックと生成して、この再生クロックを上記同期検出回路６５と、上記デジタル信号処理回路６６と、回転サーボ回路７２に送る。
【００１２】
また、上記ディジタル信号処理回路６６は、上記同期検出回路６５からのフレーム同期信号が検出されたオーディオ信号を、上記クロック生成回路６７からのクロックと、水晶発振器６９から送られる標準クロックとに基づいて、デコードし、このデコードされたデジタル信号を、サブコーディング検出回路６８と、Ｄ／Ａ変換回路７３と、デジタル信号出力端子７５とに送る。また、Ｄ／Ａ変換回路７３は、上記デジタル信号をアナログ信号に変換して、オーディオアンプ７４に送る。
【００１３】
オーディオアンプ７４は、Ｄ／Ａ変換回路７３からのアナログオーディオ信号を増幅して、アナログ信号出力端子右チャンネルＲ及び端子左チャンネルＬに送る。
【００１４】
また、サブコーディング検出回路６８は、ディジタル信号処理回路６６からのデジタル信号から、後述するＰチャンネル及びＱチャンネルのデータを検出して、各チャンネルのデータを制御部７６に伝送する。
【００１５】
制御部７６ではデコードされたサブコード信号であるＰチャンネル及びＱチャンネルのデータに基づいて上記トラッキング及びスレッドサーボ回路７１を制御する。
【００１６】
フォーカスサーボ回路７０は、ピックアップ６２からのフォーカスサーボエラー信号に基づいてフォーカス動作駆動信号を発生し、ピックアップ６２にフォーカス動作駆動信号を送り、対物レンズを上下に駆動する。
【００１７】
回転サーボ回路７２は、同期検出回路６５からの２値化信号と水晶発振器６９からの標準クロックとに基づいて回転動作駆動信号を発生し、この回転動作駆動信号をスピンドルモータ６３に送り、スピンドルモータ６３の回転動作を制御する。
【００１８】
また、トラッキング及びスレッドサーボ回路７１は、ピックアップ６２からのトラッキングサーボエラー信号に基づいてトラッキング制御駆動信号を発生し、このトラッキング制御駆動信号をピックアップ６２に送り、ピックアップ６２のトラッキング動作を制御する。
【００１９】
また、上記Ｐチャンネル及びＱチャンネルからのサブコードデータに基づいて上記制御部７６においてプログラム位置制御信号を発生し、上記プログラム位置制御信号をピックアップ６２に送る。
【００２０】
例えば後述するプログラミングモード時におけるピックアップ６２のプログラム位置制御動作を上記プログラム位置制御信号に基づいて行う。
【００２１】
上記プログラミングモードは、オーディオ用光ディスクを再生する再生モードの一つであり、図９のプログラム領域９２に記録されている複数のオーディオデータの再生順序を入れ替えて演奏するモードである。
【００２２】
上記プログラミングモード時においては、上記制御部７６は上記サブコーディング検出回路６８から送られるＰチャンネル及びＱチャンネルのサブコードデータに基づいてプログラム位置制御信号を発生し、上記プログラム位置制御信号に基づいてトラッキング及びスレッドサーボ回路７１を駆動し、上記プログラム領域の複数のプログラムに所定の順序でアクセスして、オーディオデータが読み出すように制御する。
【００２３】
以下、Ｐチャンネル及びＱチャンネルのデータについて説明する。
【００２４】
上記オーディオ用光ディスクに記録される信号は、上記ディスク再生装置にて４４．１ｋＨｚの標本化周波数で標本化される。この標本化されたデータは、６サンプル毎に１つのフレームにまとめられる。
【００２５】
この１つのフレームにまとめられた信号のフォーマットは、図１１に示すように、各フレーム８５に２４ビットの同期パターンデータ領域８１と、１４ビットのサブコーディング領域８２と、１６個の各１４ビットのプログラムデータＤ０からＤ１５から成るプログラムデータ領域８３と、４個の各１４ビットのパリティデータＰ０からＰ３から成るパリティデータ領域８４と、別のプログラムデータ領域８３及びパリティデータ領域８４とを設けたものである。
【００２６】
また、各領域、あるいはデータ部分を結合するために、各部分に対して３ビットの結合用のデータが設けられている。従って、上記各フレーム８５は、合計５８８ビットのデータを有している。
【００２７】
さらに、９８個の上記フレーム８５を集めて、この各フレーム８５の上記各領域及びデータ部分を結合して並べ換えたものが図１２に示すものである。
【００２８】
各ブロック８９は、フレーム同期パターン部８６と、サブコーディング部８７と、データ及びパリティ部８８とから成る。
【００２９】
ここで、図１０のサブコーディング検出回路６８から送られるＰチャンネル及びＱチャンネルのデータを含むサブコーディングデータは、図１２のサブコーディング部８７に記録されている。
【００３０】
また、このサブコーディング部８７は、図１３に示すように、フレーム０１からフレーム９８まで、９８個のフレームで１ブロック、またはサブコーディングフレームを形成するような構造である。
【００３１】
フレーム０１、フレーム０２は、ブロックの同期パターンであると共に、８−１４変調方式（eight to fourteen modulation：ＥＦＭ）のアウトオブルール（out of rule ）のパターンＳ０、Ｓ１を示している。
【００３２】
なお、図１０のサブコーディング検出回路６８は、上記同期パターンを検出し、１ブロック分のサブコーディング部８７としている。さらに、フレーム０１からフレーム９８までの各ビットは、それぞれＰチャンネルからＷチャンネルを構成している。
【００３３】
例えば、Ｐチャンネルは、Ｓ０、Ｓ１のそれぞれ一部と、Ｐ０１からＰ９６とで構成される。
【００３４】
また、従来において、図１３のＲチャンネルからＷチャンネルまでの６チャンネル分のデータは、例えば静止画や、いわゆるカラオケ（Karaoke ）の歌詞表示等の特殊な用途に用いられている。
【００３５】
また、Ｐチャンネル、Ｑチャンネルのデータは上記ピックアップのプログラム位置制御動作、すなわちアクセス動作の制御用に用いられている。
【００３６】
ここで、上記Ｐチャンネルは、図１４のｂに示すように、ＴＯＣ領域９１では“０”の信号を、プログラム領域９２ではオーディオとオーディオの間を“１”、それ以外は“０”という信号を、また、リードアウト領域９３では所定の周期で“０”と“１”とを繰り返す信号をそれぞれ記録するのみに用いられる。
【００３７】
なお、このＰチャンネル情報は曲の頭出し情報に用いられる。
【００３８】
また、上記Ｑチャンネルの情報は、図１０の上記ピックアップ６２が上記アクセス動作する際のアドレス情報として用いられ、このＱチャンネルの１ブロック、すなわち１サブコーディングフレーム当たりの構造は、図１５に示すように、同期ビットブロック１１１と、制御ビットブロック１１２と、アドレスビットブロック１１３と、データビットブロック１１４と、ＣＲＣ（cyclic redunndancy code ）ビットブロック１１５とで構成される。
【００３９】
同期ビットブロック１１１は２ビットのデータを有して成る部分で、上述の同期パターンの一部が記録されている。
【００４０】
また、制御ビットブロック１１２は４ビットのデータを有して成る部分で、オーディオのチャンネル数、エンファシスやデジタルデータ等の識別を行うためのデータが記録されている。
【００４１】
ここで、制御ビットブロック１１２における４ビットの制御ビットデータ、すなわちコントロールビットデータについて説明する。
【００４２】
上記４ビットのコントロールビットデータを、図１６に示す。
【００４３】
コントロールビットデータ１２１はプリエンファシスなしの２チャンネルオーディオを指し、コントロールビットデータ１２２はプリエンファシスなしの４チャンネルオーディオを示し、コントロールビットデータ１２３はプリエンファシスつきの２チャンネルオーディオを指し、また、コントロールビットデータ１２４はプリエンファシスつきの４チャンネルオーディオを示す。
【００４４】
また、コントロールビットデータ１２５は、データ用光ディスク、いわゆるＣＤ−ＲＯＭ等のオーディオではないデータプログラムを示す。
【００４５】
また、アドレスビットブロック１１３は４ビットのデータを有して成る部分で、データビット１１４内のデータのフォーマットを示す制御信号が記録されている。
【００４６】
また、データビット１１４は、図１５に示すように、７２ビットのデータを有して成る部分である。
【００４７】
例えば上記アドレスビットが“０００１”であるときには、データビット１１４の構造は、図１７に示すように、プログラム番号部５１と、インデックス部５２と、経過時間分成分部５３と、経過時間秒成分部５４と、経過時間フレーム番号部５５と、０部５６と、絶対時間分成分部５７と、絶対時間秒成分部５８と、絶対時間フレーム番号部５９とから成っている。
【００４８】
なお、各部分は８ビットのデータを有して成るものである。なお、ここで、経過時間フレーム番号部５５と、絶対時間フレーム番号部５９とに記録されるフレーム番号の１フレームは、上記サブコーディングフレームのことを示す。
【００４９】
図１７において、プログラム番号部５１は二進化十進法（binary coded decimal：ＢＣＤ）で表現された２桁で表され、例えば“００”はデータの読み出し初め、いわゆるリードイン（lead in ）領域すなわちＴＯＣ領域を示す。また、“０１”から“９９”はプログラム番号を表し、また、ＡＡはデータの読み出し終了位置（最外周トラック）いわゆるリードアウト（lead out）プログラムを表す。
【００５０】
例えば、４曲記録された光ディスクのＱチャンネルの例を図１４のｃに示す。
【００５１】
図１４のｃに示すように、プログラム番号部５１にはＴＯＣ領域に対応して“００”のデータが記録され、プログラム番号Ｐ１に対応して“０１”が記録され、以後曲番号に対応した番号が記録され、最外周トラックいわゆるリードアウト（lead out）には“ＡＡ”が記録されている。
【００５２】
また、図１７のインデックス部５２は２桁のＢＣＤで表され、例えば“００”は一旦停止、いわゆるポーズを表し、“０１”から“９９”までは１プログラムを複数のサブプログラムにさらに細分化したものである。
【００５３】
図１４のｄに示すように、プログラム番号Ｐ２は３等分されておりインデックス部Ｘには“０１−０３”が記録されており、プログラム番号Ｐ３は２等分されておりインデックス部Ｘには“０１−０２”が記録されている。
【００５４】
また、図１７に示すように、経過時間分成分部５３、経過時間秒成分部５４及び経過時間フレーム番号部５５は、各２デジットずつ、合計６デジットで上記プログラム内の経過時間を表している。
【００５５】
なお、上記経過時間フレーム番号部５５は“００”から“７４”までで表される。
【００５６】
また、経過時間フレーム番号は、プログラム間であるＰチャンネル部においては減算され、各プログラムの最初の位置でゼロスタートするようになっている。また、０部５６は、“０”が挿入されて成る部分である。
【００５７】
図１７に示す絶対時間分成分部５７、絶対時間秒成分部５８及び絶対時間フレーム番号部５９は、各２桁ずつのＢＣＤ、合計６桁のＢＣＤで表され、図９のＴＯＣ領域９１においては上記インデックス部５２がＡ０であるとき絶対時間成分部５７は最初のプログラム番号を表し、インデックス部５２がＡ１であるとき絶対時間成分部５７は最後のプログラム番号を表す。
【００５８】
なお、上記インデックス部５２がＡ０、Ａ１の何れの場合においても、絶対時間秒成分部５８及び絶対時間フレーム番号部５９は“０”とされている。また、インデックス部５２がＡ２であるときは、絶対時間分成分部５７、絶対時間秒成分部５８及び絶対時間フレーム番号部５９は、図９のリードアウト領域９３が始まる絶対時間が記録される。
【００５９】
また、上記絶対時間分成分部５７、上記絶対時間秒成分部５８及び上記絶対時間フレーム番号部５９は、図９のプログラム領域９２おいては、第１プログラムのポーズが始まる位置から０が来る度に加算されていく時間である絶対時間が記録される。
【００６０】
また、ＣＲＣビット１１５は、図１５に示すように、１６ビットのデータを有して成る部分である。
【００６１】
このＣＲＣビット１１５は、巡回符号（cyclic redundancy code）の誤り検出を行うためのデータが記録されている。
【００６２】
上記プログラミングモードは、上述したようなＱチャンネルのデータを用いた情報を、図１０に示すように、上記ディスク再生装置のサブコーディング検出回路６８で検出して復号化処理して、この復号化された信号に基づいて、制御部７６からトラッキング及びスレッドサーボ回路７１を制御してピックアップ６２のアクセス動作を行うようにする。
【００６３】
【特許文献１】特開昭６０−１１９６７０号公報
【特許文献２】特開昭６３−３０８７７６号公報
【発明の開示】
【発明が解決しようとする課題】
【００６４】
ところで、上述したＱチャンネルのデータを用いた情報には、プログラム数やプログラムに関する時間情報が記録されているため、この情報をＬＣＤ（liquid crystal display）等の表示装置に表示して、演奏中のプログラムがオーディオ用光ディスクの何曲目であるのか、演奏の経過時間や始めからの絶対時間等を視覚的に確認できる。
【００６５】
また、近年において、複数のオーディオ用光ディスクを収納して任意のオーディオ用光ディスクを再生する、いわゆるディスク交換型ディスク再生装置が普及してきている。
【００６６】
上記ディスク交換型ディスク再生装置において、再生中のオーディオ用光ディスクの識別を行うことは非常に意義のあることである。
【００６７】
しかし、上述した情報にはディスク固有のタイトル情報、プログラム固有のタイトル情報等の文字情報が含まれないため、再生中のオーディオ用光ディスクのタイトル、演奏中の曲のタイトル等を上記表示装置に表示することが不可能であった。
【００６８】
また、従来において、オーディオ用光ディスクにプログラム名を記録することは、各プログラム名を上記サブコード情報の上記Ｒチャンネルから上記Ｗチャンネルに記録するか、メイン信号の一部を使用して、いわゆるＣＤ−ＲＯＭデータとして記録することで可能であった。
【００６９】
また、各プログラム名を打ち込むことは煩わしい作業である。
【００７０】
オーディオ用光ディスクを再生するディスク再生装置の場合、いわゆるＣＤ−ＲＯＭフォーマットを用いて記録したデータは、ＣＤ−ＲＯＭフォーマット特有のデコード処理をしなければならなく、固有の集積回路を用いて復号化処理を施さないと取り出せなかった。
【００７１】
従って、これらのオーディオ用光ディスクを再生するディスク再生装置が高価になってしまう。
【００７２】
また、必要とされる文字情報は、２Ｋバイト程度に過ぎないため、無駄が多くなってしまう。
【００７３】
そこで、本発明は、上述した実情に鑑みてなされたものであり、特別な復号化手段を用いることなく取り出せる文字情報を記録することが可能なディスク状記録媒体を提供することを目的とする。
【課題を解決するための手段】
【００７４】
上述の課題を解決するために、本発明は、データが記録されるディスク状記録媒体において、少なくとも一つ以上のプログラムが記録されているプログラム領域と、上記プログラム領域に記録されている各プログラムの絶対アドレス情報を含む第一管理情報が上記プログラム領域よりも内周側に記録されている第一の管理領域と、上記第一の管理領域よりも外周側の別な領域に、上記各プログラム及び／又はディスク状記録媒体に対する属性を示す属性情報を含む第二管理情報が記録される第二の管理領域とを有して成ることを特徴とする。
【００７５】
ここで、上記第一の管理領域には、上記第二の管理領域の記録位置を示すためのアドレス情報が更に記録されていることが好ましい。
【００７６】
また、上記プログラム領域に記録されるデータはオーディオデータであると共に、上記第二の管理領域で管理される属性情報は、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報であることが好ましい。
【００７７】
また、上記プログラム領域に記録されるデータはオーディオデータであると共に、上記第二の管理領域で管理される属性情報は、上記プログラムの最小レベルと、最大レベルと、平均レベルと、最頻度レベルとの内の少なくとも一つの情報であることが好ましい。
【００７８】
さらに、上記プログラム領域は、上記第二の管理領域よりも内周側に位置することが好ましい。
【発明の効果】
【００７９】
本発明によれば、本発明に係るプログラム領域と、第一の管理領域と、第二の管理領域とを有して成るディスク状記録媒体によれば、上記プログラム領域に記録されるプログラムに関する属性を示すプログラム属性情報を含む第二管理情報を上記第二の管理領域に記録することで、上記第二管理情報である上記プログラム属性情報を文字情報として記録することができる。さらに、この文字情報は、従来のディスク再生装置にて読み出せる信号のフォーマットで記録される。
【００８０】
また、本発明の第一の管理領域と、プログラム領域と、第二の管理領域とがディスクの内周から外周に向かって有して成るディスク状記録媒体によれば、上記プログラム領域に記録されるプログラムに関するプログラム属性を示すプログラム属性情報を含む第二管理情報を上記第二の管理領域に記録することで、上記第二管理情報である上記プログラム属性情報を文字情報として記録することができる。さらに、上記第二の管理領域に関する時間情報を上記第一の管理領域に第一管理情報として記録することで、上記第二管理情報の読み出しは、特別な復号化処理をすることなく、通常通り上記第一の管理領域を読み出すことで実行可能になる。
【００８１】
また、上述の各ディスク状記録媒体において、上記第二の管理領域に記録される第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報とした場合には、上記プログラム属性情報、すなわち上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報を上記第二の管理領域に文字情報として記録できる。さらに、上記第二の管理領域に関する時間情報を上記第一の管理領域に第一管理情報として記録することで、上記第二管理情報の読み出しは、特別な復号化処理をすることなく、通常通り上記第一の管理領域を読み出すことで実行可能になる。
【００８２】
また、上述の各ディスク状記録媒体において、上記プログラムのデータはプログラム毎に記録されたオーディオデータであると共に、上記第二の管理領域に記録される第二管理情報を、上記プログラムの最小レベルと、最大レベルと、平均レベルと、最頻度レベルとの内の少なくとも一つのプログラム属性情報とした場合には、上記プログラム属性情報、すなわち上記プログラムの最小レベルと、最大レベルと、平均レベルと、最頻度レベルとの内の少なくとも一つの情報を上記第二の管理領域に記録できる。また、上記第二管理情報を、例えば再生レベルに合わせて演奏曲の順番を自動選択することに利用することが可能である。さらに、上記第二の管理領域に関する時間情報を上記第一の管理領域に第一管理情報として記録することで、上記第二管理情報の読み出しは、特別な復号化処理をすることなく、通常通り上記第一の管理領域を読み出すことで実行可能になる。
【発明を実施するための最良の形態】
【００８３】
以下、オーディオデータを記録した光ディスクに適用した本発明のディスク状記録媒体について、図面を参照しながら詳細に説明する。
【００８４】
上記光ディスク１００は、図１に示すように、中央にセンタ孔１０１を有して成り、また、図１及び図２に示すように、最内周位置から最外周位置に向かって順に、時間アドレスＡｔ からＡ０ までの第一の管理領域である第１ＴＯＣ（table of contents ）領域１、時間アドレスＡ１ からＡ２ までの第１プログラム領域２、時間アドレスＡ２ からＡ３ までの第１プログラム終了領域、いわゆる第１リードアウト（lead out）領域３、時間アドレスＡ３ からＡ５ までの第二の管理領域である第２ＴＯＣ領域４、時間アドレスＡ５ からＡ６ までの第２プログラム領域５及び時間アドレスＡ６ からＡ７ までの第２リードアウト領域６を有している。なお、図２においては、時間アドレスＡ０ を原点とする。
【００８５】
上記第１ＴＯＣ領域１は、第１プログラム領域２に記録されたオーディオデータの第一管理情報、例えば各オーディオデータ毎の演奏時間、１番目のオーディオデータの位置からの絶対時間、上記第２ＴＯＣ領域４を示すための時間情報が記録されている。
【００８６】
また、第１プログラム領域２は、複数のオーディオデータを有していて、上記第１リードアウト領域３が現れる位置まで設けられている。
【００８７】
上記第２ＴＯＣ領域４は、第二管理情報である上記第１プログラム領域２内の複数のオーディオデータに関する属性に関する情報、例えば上記光ディスク１００の名称／識別コード、すなわちタイトル情報／コード番号情報、各プログラムのタイトル名情報、各プログラムの演奏者名情報、各プログラムのジャンル情報及び上記タイトルや上記各オーディオデータに関するメッセージ情報が記録されている。
【００８８】
また、上記第２ＴＯＣ領域４は、他の第二管理情報として、上記オーディオデータの音圧最高レベル、最低レベル、平均レベル、最頻度レベルのプログラム属性情報をも管理している。
【００８９】
そこで、上記第二管理情報は、第２ＴＯＣ領域４の前記Ｑチャンネルにて管理される。このＱチャンネルのデータの１ブロック当たりの構造は、図１５に示され、かつ前述したように、同期ビットブロック１１１と、制御ビットブロック１１２と、アドレスビットブロック１１３と、データビットブロック１１４と、ＣＲＣビットブロック１１５とで構成されている。
【００９０】
また、前述と同様に、上記ブロックは、サブコーディングフレームともいう。
【００９１】
さらに、上記アドレスビットブロック１１３のアドレスビットデータが“１”、すなわち２進数字で表すと“０００１”である場合のデータビットブロック１１４の構成は、図１７に示され、前述したように、プログラム番号部５１と、インデックス部５２と、経過時間分成分部５３と、経過時間秒成分部５４と、経過時間フレーム番号部５５と、０部５６と、絶対時間分成分部５７と、絶対時間秒成分部５８と、絶対時間フレーム番号部５９とから成っている。図２の第１ＴＯＣ領域１、第１プログラム領域２及び第１リードアウト領域３が、このフォーマットにて記録されている。
【００９２】
なお、ここで、経過時間フレーム番号部５５と、絶対時間フレーム番号部５９とに記録されるフレーム番号の１フレームは、上記サブコーディングフレームのことを指す。また、１秒が７５個のサブコーディングフレームに分けられる。
【００９３】
ここで、上記第１ＴＯＣ領域１のＱチャンネルのデータの一例をフレーム毎に示したものを図３に示す。なお、図３において、インデックス番号ＩＸのみが１６進数で表され、他の数値は全て１０進数で表されている。
【００９４】
アドレスビットデータが“１”、または２進数で“０００１”で、インデックス番号ＩＸの内容が“Ａ０”であるときは、前述のように、最初の曲番号、あるいはプログラム番号が絶対時間分成分ＰＭＩＮに書かれていることを示し、インデックス番号ＩＸが“Ａ１”であるときは最終プログラム番号が絶対時間分成分ＰＭＩＮに書かれていることを示している。また、インデックス番号ＩＸが“Ａ２”であるときは、第１リードアウト領域が始まる絶対時間、すなわち図２の時間アドレスＡ２ を示す時間が書き込まれている。
【００９５】
よって、図３のＴＯＣの内容を有するオーディオ用光ディスクは、１曲目から７曲目までプログラム曲が入っていて、この演奏が終わるのが時間アドレスＡ０ から３１分６秒５０フレームであることがわかる。
【００９６】
すなわち、この位置が、図２の時間アドレスＡ２ に相当する。
【００９７】
また、インデックス番号ＩＸが“０１”から“０７”までは、１曲目から７曲目までに対応し、それぞれの各プログラムの絶対時間がＰＭＩＮ、ＰＳＥＣ、ＰＦＲＭに記録されている。
【００９８】
上記絶対時間は、時間アドレスＡ０ から何分何秒経過したところから各プログラムが開始まるのかが記されている。
【００９９】
さらに、インデックス番号ＩＸが“０７”であるフレームの下には、アドレスビットデータが“５”、または２進数で“０１０１”のデータであるフレームが設けられている。
【０１００】
このフレームのアドレスビットデータは、図２の第２ＴＯＣ領域４及び第２リードアウト領域６が利用されているか否かを判別するデータである。
【０１０１】
第２ＴＯＣ領域４にデータが記録されている場合、インデックス番号ＩＸが“Ｂ０”であるフレームが設けられる。
【０１０２】
なお、図３においては、時間アドレスＡ０ から３３分３６秒５０フレーム経過した位置（Ａ４ ）の近傍に、第２ＴＯＣ領域４の開始点が設けられている。
【０１０３】
詳細について以下説明すると、上記Ａ４ から１分内周に遡った場所が第２ＴＯＣ領域４の開始点（Ａ３ ）である。
【０１０４】
上記第２ＴＯＣ領域４の開始点（Ａ３ ）は上記第１のＴＯＣの開始アドレスＡ２ からも算出できる。
【０１０５】
上記第１のＴＯＣの開始アドレスＡ２ に１分３０秒の固定値を加算した場所が第２ＴＯＣ領域４の開始点Ａ３ である。
【０１０６】
また、従来のオーディオ用光ディスクは、第１ＴＯＣ領域の絶対時間は、設定されていなかったが、本発明に係るディスク状記録媒体においては、インデックス番号ＩＸが“Ｃ０”であるフレームを、図２の第１ＴＯＣ領域１の開始位置を示す絶対時間としている。
【０１０７】
すなわち、時間アドレスＡｔ には、９７分２２秒７４フレームの値が記録されていることになる。
【０１０８】
なお、第１ＴＯＣ領域１が終了する位置、すなわち図２の時間アドレスＡ０ は、９９分５９秒７４フレームの位置に設けられ、また、この時間アドレスＡ０ は、絶対時間０分０秒０フレームを示す。
【０１０９】
ここで、通常のコンパクトディスクの最大演奏時間は７４分であり本発明の時間アドレスＡ０ 及びＡｔ には、７４分以上の時間が記録されているが、実際には存在しない時間を記録している理由としては通常のコンパクトディスクとの識別を行うためである。
【０１１０】
さらに、上記時間アドレスＡｔ から時間アドレスＡ０ まで、すなわち９７分２２秒７４フレームの位置から９９分５９秒７４フレームの位置までの区間は、時間アドレスＡ０ より内周側に設けられている。
【０１１１】
ここで、第１ＴＯＣ領域１にて、第２ＴＯＣ領域４にデータが記録されていることが示されたときは、このオーディオ用光ディスクは、アドレスビットデータが“６”、または２進数の“０１１０”である部分を有している。この部分が、第２ＴＯＣ領域４に記録されたデータを示す部分である。
【０１１２】
ここで、第２ＴＯＣ領域４に記録されるデータをフレーム毎に並べると、例えば図４に示すように、全てオーディオではないデータであるため、第２ＴＯＣ領域４の図１５で示す制御ビットブロック１１２のコントロールビットデータとして“４”、すなわち２進数で“０１００”が用いられる。
【０１１３】
また、アドレスビットデータとして“１”、または２進数で“０００１”が用いられているフレームは、第２プログラム領域５及び第２リードアウト領域６に関する時間情報が記録されていることを示し、上記アドレスビットデータとして“６”、または２進数“０１１０”が用いられているフレームは、第１プログラム領域のプログラムのプログラム属性情報が記録されていることを示す。
【０１１４】
アドレスビットコードが“１”である４つのフレームによれば、インデックス番号ＩＸが“Ａ０”であるフレーム及びインデックス番号ＩＸが“Ａ１”であるフレームの絶対時間分成分ＰＭＩＮが共に“８”であるので、上述のように、上記第２プログラム領域５に記録されるプログラム数は、第１プログラム領域２から通して８プログラム目のもの一つだけとなる。
【０１１５】
また、インデックス番号ＩＸが“Ａ２”であるフレームの絶対時間分成分ＰＭＩＮ、絶対時間秒成分ＰＳＥＣ及び絶対時間フレーム番号ＰＦＲＭが“６４、１３、０２”であるため、第２リードアウト領域６は時間アドレスＡ０ から６４分１３秒２フレーム経過した位置から始まることがわかる。この位置が、図２の時間アドレスＡ６ に当たる。
【０１１６】
インデックス番号ＩＸが“０８”であるフレームの絶対時間分成分ＰＭＩＮ、絶対時間秒成分ＰＳＥＣ及び絶対時間フレーム番号ＰＦＲＭが“３３、３８、５０”であるため、第２プログラム領域５は、図２の時間アドレスＡ０ から３３分３８秒５０フレーム経過した位置から始まることがわかる。この位置が、図２の時間アドレスＡ５ に当たる。なお、上記フレームは、上記サブコーディングフレームであり、７５フレームで１秒になる時間である。
【０１１７】
従って、本オーディオ用光ディスクは、図２に示すように、時間アドレスＡ０ を原点として、時間アドレスＡ１ は２秒０フレーム経過した位置に存在し、時間アドレスＡ２ は３１分６秒５０フレーム経過した位置に存在し、時間アドレスＡ４ は３３分３６秒５０フレーム経過した位置に存在し、時間アドレスＡ５ は３３分３８秒５０フレーム経過した位置に存在し、時間アドレスＡ６ は６４分１３秒２フレーム経過した位置に存在し、時間アドレスＡ７ は６５分４３秒２フレーム経過した位置に存在すると共に、時間アドレスＡ０ より内周側に９７分２２秒７４フレームから９９分５９秒７４フレームまでの区間を設けて、この９７分２２秒７４フレームの位置を時間アドレスｔ として、この位置から９９分５９秒７４フレーム、すなわち時間アドレスＡ０ までを第１ＴＯＣ領域１として割り当てた光ディスクである。
【０１１８】
なお、第２リードアウト領域６を１分３０秒設けるものとしているため、上記時間アドレスＡ７ は上述したように６５分４３秒２フレームの位置を指すことになる。
【０１１９】
また、アドレスビットデータが“６”であるときは、図１５のＱチャンネルのデータビットブロック１１４は、図５に示すように、プログラム番号部１１と、属性部１２と、７個の文字データ部１３とから構成される。各部分には、８ビットのデータが記録される。
【０１２０】
ここで、上記プログラム番号部１１は、上記プログラム属性情報が記録される各フレームの文字データ部１３で示される文字列について、どのフレームからどのフレームまでが１つのプログラム属性情報の文字列であるのかが示される。
【０１２１】
上記プログラム番号部１１の最上位ビット（most significant bit：ＭＳＢ）は、このフレームは上記プログラム属性情報の最後の文字列のフレームであることを表す。残りの７ビットについては、“１”から“９９”までは上記第１ＴＯＣ領域１の各プログラム番号と対応する数値を表し、また、“０”及び“１００”から“１２６”までは後述する文字列の属性の分類を表す。但し、上記ＭＳＢが“１”となるときには“１２８”が加算されたプログラム番号ＴＲの値をとる。
【０１２２】
例えば、図４において、プログラム番号が“０１”であるフレームは、複数の文字データ部１３で形成される文字列が上記第１プログラム領域２の１番目のプログラムの名称であることを表し、この文字列の最終フレームのプログラム番号は“１２９”で表される。但し、上記文字列が文字データ部１３の７つ分以下のデータである場合は、この文字列はプログラム番号が上記ＭＳＢであるフレームのみで表されるデータとなる。
【０１２３】
例えば、図４において、プログラム番号が“１３１”であるフレームは文字データが７文字分以下であるため、このデータを有するフレームのプログラム番号は“０３”ではなく、“１３１”になっている。
【０１２４】
また、プログラム番号が“０”と、“１００”から“１２６”までとは、図６に示すように、各プログラム番号に対する上記文字列の属性の分類が定義される。
【０１２５】
プログラム番号が“１００”であるときは、このフレームの文字列は、ディスクの名称、すなわちディスクタイトルを表し、例えば図４に示すように、“ＤＩＳＣｔｉｔｌｅ”と表示する。
【０１２６】
そして、上記“ＤＩＳＣｔｉｔｌｅ”と表示する場合、９文字の記録領域が必要であり、上述のように１フレームには７文字しか記録できないので、図４に示すように、残り２文字である“ｌｅ”が記録されるフレームは、プログラム番号が“２２８”のフレームである。
【０１２７】
上記プログラム番号が“２２８”となる理由として、“ＤＩＳＣｔｉｔ”はプログラム番号が“１００”に記録されており、リンクするフレームがある場合８ビット目に１を立てる、すなわち（１００＋２８ ）＝２２８とすることで次にリンクするフレームのプログラム番号は“２２８”になる。
【０１２８】
また、プログラム番号が“１０１”のフレームには、図６に示すように、このディスクの識別番号が示される。
【０１２９】
例えば図４に示すように、ディスクの識別番号として“ＤＩＳＣＮｏ１２３４５６７”と表示するような文字列が記録される場合、１３文字の記録領域が必要である。
【０１３０】
しかし、上述のように１フレームには７文字しか記録できないので、残り６文字はプログラム番号が“２２９”のフレームに記録されることになる。
【０１３１】
また、プログラム番号が“１０２”となるフレームフレームには、このディスクに記録されるオーディオのジャンルを“ＪＡＺＺ”と表示するような文字列が記録されている。
【０１３２】
なお、この文字列は７文字分以下のデータであるため、この文字列を有するフレームのプログラム番号は“１０２”ではなく、“２３０”になっている。
【０１３３】
すなわち、文字データ長が７文字以下である場合、１フレームのみしか記録に必要なく、リンクするフレームが存在しないため、図４においてはプログラム番号として“１０２”ではなく“２３０”が用いられている。
【０１３４】
また、図５の属性部１２は、前半の４ビットは文字コードを表すデータであり、また、後半の４ビットは文字連番を表すデータである。
【０１３５】
すなわち、図４のインデックス番号ＩＸ（属性番号）において、最初の１６進数で表されている数字が文字コードを表すデータであり、次の１６進数の数字が文字連番を表すデータである。
【０１３６】
ここで、上記文字コードを表すデータは、このデータを有するフレームの文字データ部１３に記録されるデータは、例えばＪＩＳ（Japanese Industrial Standard）コードであるのか、あるいはＡＳＣＩＩ（American National Standard code for Information International Interchange ）コードであるのか等を示すものである。
【０１３７】
この文字コードを表すデータによって、１６種類の文字コードを指定することができる。
【０１３８】
また、上記文字連番を表すデータは、上記文字列が複数のフレームに跨る場合、各フレームがプログラム番号で示されるデータ中の何番目のフレームであるのかを示す。
【０１３９】
この文字連番を表すデータによって、１つの文字列当たり、最大で１６フレーム分、すなわち１１２文字まで示すことが可能である。
【０１４０】
例えば、図４において、プログラム番号が“１００”で示されるフレームは２つあり、第１のフレームは属性部１２のデータは“００”である。
【０１４１】
また、この文字列の最後の文字列を有するプログラム番号が“２２８”であるフレームは、第２のフレームであるため、上記属性部１２のデータは“０１”である。
【０１４２】
また、図５の文字データ部１３は、属性部１２の文字コードを表すデータにて指定された文字コードにて、文字データ部１３当たりの文字を示すデータを有する。
【０１４３】
なお、図４においては、説明をわかり易くするために、各文字をアルファベット、あるいは数字で示した。上記各フレームは７つの文字データ部１３を有する。
【０１４４】
また、なお、上記第１ＴＯＣ領域には、従来のオーディオ用光ディスクと同様に、データ毎に３重書きされ、この３重書きされたデータが繰り返して記録される。
【０１４５】
また、上記第２ＴＯＣ領域には、データ毎に１回書きされたデータが繰り返して記録される。
【０１４６】
また、本発明のディスク状記録媒体を再生するディスク再生方法は、図７に示すように、図１及び図２に示したオーディオ用光ディスクの第一の管理領域である、第１ＴＯＣ領域１にアクセスし、この第１ＴＯＣ領域１に記録されている第一管理情報を読み出す第一管理情報読み出し工程であるステップＳ１及びステップＳ２と、上記第一管理情報読み出し工程にて読み出される第一管理情報の中から第二の管理領域である第２ＴＯＣ領域４を示すための時間情報に基づいて、上記第２ＴＯＣ領域４の開始位置を検出する検出工程であるステップＳ７と、上記検出工程にて得られる検出結果に基づいて上記第２ＴＯＣ領域４の開始位置にアクセスし、上記プログラムに関する属性を示すプログラム属性情報を含む第二管理情報を読み出す第二管理情報読み出し工程であるステップＳ８とを有している。
【０１４７】
また、上記ディスク再生方法は、上記オーディオ用光ディスクの図２の第１プログラム領域２にアクセスしプログラムを読み出すプログラム読み出し工程であるステップＳ１０及びステップＳ１１と、上記プログラム読み出し工程にて読み出されるプログラムの再生時に、上記第一管理情報読み出し工程にて読み出される上記第一管理情報と、上記第二管理情報読み出し工程にて読み出される上記第二管理情報とに基づいて、これら情報の表示を行う表示工程であるステップＳ１２とを有している。
【０１４８】
図７によれば、動作を開始して、ステップＳ１では、ピックアップ等のディスク上の信号を読み取る読み取り手段が図２の第１ＴＯＣ領域１にアクセスし、ステップＳ２に進む。
【０１４９】
また、ステップＳ２では、この第１ＴＯＣ領域１を再生し、ステップＳ３に進んで、この再生内容が第１記憶手段に取り込まれた後、ステップＳ４に進む。
【０１５０】
ステップＳ４では、この第１ＴＯＣ領域１の再生内容に基づいて、図１７のインデックス部５２に“Ｂ０”なるデータが書き込まれているフレームが存在するか否かが判別される。
【０１５１】
上記判別結果がＮＯ、すなわち上記インデックス部５２に“Ｂ０”なるデータが書き込まれているフレームがないと判別されたときは、ステップＳ５に進んで、通常のオーディオ用光ディスクの再生を行う。
【０１５２】
上記判別結果がＹＥＳ、すなわち上記インデックス部５２に“Ｂ０”なるデータが記録されるフレームが存在すると判別されたときは、ステップＳ６に進む。
【０１５３】
ステップＳ６では、上記インデックス部５２に“Ｂ０”なるデータが書き込まれたフレームの、例えば経過時間分成分ＭＩＮ、経過時間秒成分ＳＥＣ及び経過時間フレーム番号ＦＲＭのデータが示す時間アドレスに上記読み取り手段がアクセスし、ステップＳ７に進む。
【０１５４】
なお、この時間アドレスは、図２の時間アドレスＡ４ に当たり、本実施例では時間アドレスＡ３ から１分経過した時間アドレスとしている。
【０１５５】
ステップＳ７では、図２の時間アドレスＡ４ から所定時間、本実施例の場合においては１分を減算することで、時間アドレスＡ３ 、すなわち上記第２ＴＯＣ領域４の開始位置が検出されて、ステップＳ８に進む。
【０１５６】
ステップＳ８では、上記読み取り手段が上記第２ＴＯＣ領域４の開始位置にアクセスして、上記第２ＴＯＣ領域４を再生して、ステップＳ９に進む。ステップＳ９では、上記第２ＴＯＣ領域４の内容が上記第１記憶手段とは異なる第２記憶手段に取り込まれ、ステップＳ１０に進む。
【０１５７】
ステップＳ１０では、図２の第１プログラム領域２に記録されている第１のプログラムである第１のプログラムである第１プログラムの開始位置に上記読み取り手段がアクセスし、この状態でコマンド入力待機状態になり、ステップＳ１１に進む。
【０１５８】
ステップＳ１１では、再生モードが入力されて、上記第１プログラム領域２のプログラムの再生を開始し、ステップＳ１２に進む。
【０１５９】
ステップＳ１２では、再生されているプログラムに対応するプログラム属性情報を含む第二管理情報、すなわち上記第２記憶手段に取り込まれた上記第２ＴＯＣ領域４の内容が表示手段に表示される。
【０１６０】
また、上述した記録／フォーマットがなされた光ディスクを再生するための上記ディスク再生方法が適用されるディスク再生装置を図８に示す。
【０１６１】
上記再生装置は、図１及び図２で示すオーディオ用光ディスクの第一の管理領域である第１ＴＯＣ領域１にアクセスして第一の管理領域に記録されている第一管理情報及び上記第二の管理領域である第２ＴＯＣ領域４の開始位置にアクセスしてこの第２ＴＯＣ領域４に記録される第二管理情報とを読み出す読み出し手段であるピックアップ２２と、このピックアップ２２にて読み出された上記第一管理情報の中の上記第２ＴＯＣ領域４を示すためのアドレス情報に基づいて、上記第２ＴＯＣ領域４の開始位置を検出し、この検出結果に基づいて上記ピックアップ２２の上記第二管理情報読み出し動作をサーボ制御回路２５を介して制御する制御部３５とを有して成るものである。
【０１６２】
図８によれば、ピックアップ２２からの出力はＲＦ信号処理回路２４に送られる。ＲＦ信号処理回路２４からの出力信号は、サーボ制御回路２５と、デジタル信号処理部２６に送られる。
【０１６３】
また、サーボ制御回路２５からの各出力は、デジタル信号処理部２６と、制御部３５と、フォーカスサーボドライバ２７と、トラッキングサーボドライバ２８と、スレッドサーボドライバ２９と、回転サーボドライバ３０とに送られる。
【０１６４】
フォーカスサーボドライバ２７からの出力と、トラッキングサーボドライバ２８からの出力と、スレッドサーボドライバ２９からの出力とは、ピックアップ２２に送られる。
【０１６５】
また、回転サーボドライバ３０からの出力は、スピンドルモータ２３に送られる。
【０１６６】
デジタル信号処理部２６からの出力は、回転サーボドライバ３０に送られる。
【０１６７】
また、デジタル信号処理部２６内部では、デコード回路３１からの出力がオーディオ出力端子３８及びサブコード検出回路３２に送られ、このサブコード検出回路３２からの出力は制御部３５に送られる。
【０１６８】
制御部３５からの出力は、上記サーボ制御回路２５と、第１ＲＡＭ３３と、第２ＲＡＭ３４と、表示部３７とに送られる。
【０１６９】
また、第１ＲＡＭ３３からの出力と、第２ＲＡＭ３４からの出力と、操作部３６からの出力とは制御部３５に送られる。
【０１７０】
ここで、図８によれば、ピックアップ２２は、光ディスク２１に記録されている信号を読み出し、読み出した信号をＲＦ信号処理回路２４に送る。
【０１７１】
また、このピックアップ２２が図２で示した各領域を読み出す動作は、フォーカスサーボドライバ２７と、トラッキングサーボドライバ２８と、スレッドサーボドライバ２９とから送られる出力に応じて制御される。
【０１７２】
ＲＦ信号処理回路２４は、ピックアップ２２から送られるＲＦ信号を波形整形し、フォーカスサーボエラー信号、トラッキングサーボエラー信号及びスレッドサーボエラー信号を検出して、これらサーボエラー信号をサーボ制御回路２５に送る。
【０１７３】
また、ＲＦ信号処理回路２４は、波形整形した２値化信号からデータ部分を取り出してデジタル信号処理部２６に送る。
【０１７４】
サーボ制御回路２５は、ＲＦ信号処理回路２４からの上記フォーカスサーボエラー信号、上記トラッキングサーボエラー信号及び上記スレッドサーボエラー信号と、デジタル信号制御部２６からの第１の読み出し制御信号と、制御部３５からの第２の読み出し制御信号に基づいて、サーボ制御信号を得て、このサーボ制御信号を、フォーカスサーボドライバ２７と、トラッキングサーボドライバ２８と、スレッドサーボドライバ２９とに送り、これらサーボドライバを介してピックアップ２２の読み出し動作の制御を行う。
【０１７５】
また、上記サーボ制御信号は、制御部３５にも送られる。
【０１７６】
また、サーボ制御回路２５は、上記２値化信号のクロック成分を検出し、検出されたクロックをデジタル信号処理部２６に送る。
【０１７７】
また、デジタル信号処理部２６は、サーボ制御回路２５からのクロックと、基準クロックとに基づいて、回転サーボ制御信号を得て、回転サーボドライバ３０に送り、この回転サーボドライバ３０を介してスピンドルモータ２３の回転制御を行う。
【０１７８】
また、上記波形整形されたＲＦ信号及び上記クロックに基づいて、デコード回路３１にて、ＥＦＭ（eight to fourteen modulation）方式で変調された上記波形整形された２値化信号のデータ部分が復号化処理され、この復号化データがオーディオ出力端子３８及びサブコード検出回路３２に送られる。
【０１７９】
また、サブコード検出回路３２にて、デコード回路３１からの上記復号化データからサブコード、すなわち前述のＰチャンネル及びＱチャンネルのデータが検出され、これらＰチャンネル及びＱチャンネルのデータは制御部３５に送られる他、上記第１の読み出し制御信号に変換されて上記サーボ制御回路２５に送られる。
【０１８０】
また、制御部３５は、サーボ制御回路２５からのサーボ制御信号及びサブコード検出回路３２からの上記Ｐチャンネル及びＱチャンネルのデータに基づいて、図２で示した第１ＴＯＣ領域１に記録される上記時間情報を取り出して第１ＲＡＭ３３に、また、第２ＴＯＣ領域４に記録される上記第二管理情報を取り出して第２ＲＡＭ３４にそれぞれ送る。
【０１８１】
ここで、上記第二管理情報を取り出す動作について説明する。なお、図７で示す各ステップ番号を括弧内に表す。
【０１８２】
先ず、ピックアップ２２が上記第１ＴＯＣ領域１にアクセス（ステップＳ１）し、第１ＴＯＣ領域１を再生（ステップＳ２）し、得られたＲＦ信号から制御部３５にて上記Ｑチャンネルが検出される。さらに、制御部３５は、図２の時間アドレスＡｔ 、Ａ１ 、Ａ２ 、Ａ４ 、Ａ６ を示すデータを取り出し、上記第１ＲＡＭ３３に送る（ステップＳ３）。
【０１８３】
また、制御部３５は、この取り込んだデータから第２ＴＯＣ領域４があるか否かを判別（ステップＳ４）し、上記ピックアップ２２が図２の時間アドレスＡ４ にアクセスするように、上記第２の読み出し制御信号をサーボ制御回路２５に送り、このサーボ制御回路２５から上記サーボ制御信号を出力させて、ピックアップ２２を光ディスク２１上の上記時間アドレス４ にアクセスさせる（ステップＳ６）。
【０１８４】
また、制御部３５は、上記時間アドレスＡ４ を示す時間から１分を減算して、上記第２ＴＯＣ領域４の開始位置、すなわち図２の時間アドレスＡ３ を検出（ステップＳ７）する。
【０１８５】
さらに、制御部３５がピックアップ２２を上記光ディスク２１上の時間アドレスＡ３ にアクセスするように、上述の制御方法にてピックアップ２２の動作を制御することで、ピックアップ２２は上記光ディスク２１上の上記時間アドレスＡ３ にアクセスし、上記第２ＴＯＣ領域４のデータを再生する（ステップＳ８）。
【０１８６】
制御部３５は、この再生動作で得られたＲＦ信号に基づいてサブコード検出回路３２にて得られたＱチャンネルのデータから、上記第２ＴＯＣ領域４に記録される上記第二管理情報を検出し、上記第２ＲＡＭ３４に送る（ステップＳ９）。
【０１８７】
また、制御部３５は、操作部３６からのコマンド入力に応じて、上記第１ＲＡＭ３３、あるいは上記第２ＲＡＭ３４の何れかから必要なデータを取り出して、表示部３７に送る。
【０１８８】
操作部３６は、演奏曲の経過時間、あるいは絶対時間の他に、使用者が表示部３７にて表示したいデータとして、例えば上記光ディスク２１の上記タイトル、上記識別番号、上記演奏曲名、上記演奏者名、上記演奏曲のジャンル、上記演奏者や上記演奏曲目等に関するメッセージや、上記最大レベル、上記最小レベル、上記平均レベル、上記最頻度レベルの情報から任意に選択するコマンド入力を行うのに用いられ、このときなされたコマンド入力に関する制御信号を制御部３５に送る。
【０１８９】
表示部３７は、上記操作部３６にて選択された情報を、制御部３５から送られるデータに基づいて表示する。
【０１９０】
なお、本実施例では、図２の第２ＴＯＣ領域４の開始位置、すなわち時間アドレスＡ３ を第２ＴＯＣ領域４内の任意の位置、すなわち時間アドレスＡ４ を示す時間から１分を減算して得たが、これに限定されることはなく、上記時間アドレスＡ４ と上記時間アドレスＡ３ との相対位置を変えて、この相対位置に応じた演算を行えば本発明と同様の効果を得ることができる。また、上記時間アドレスＡ３ の検出方法において、上記時間アドレスＡ４ を基準位置としていたが、こちらもこれに限定されることはなく、例えば、第１リードアウト領域の開始位置、第２プログラム領域５の開始位置や第２リードアウト領域６の開始位置、すなわち時間アドレスＡ２ 、時間アドレスＡ５ や時間アドレスＡ６ を基準位置としても本発明と同様の効果を得ることは言うまでもない。  
以上説明した本発明の実施の形態の要部となる構成をまとめると、次のようになる。
【０１９１】
すなわち、少なくとも一つ以上のプログラムが記録されているプログラム領域と、上記プログラム領域に記録されているプログラム毎の時間情報及び全プログラムの全時間情報とを含む第一管理情報が記録されている第一の管理領域とを有して成るディスク状記録媒体において、上記第一の管理領域とは、別な領域に上記プログラムに関する属性を示すプログラム属性情報を含む第二管理情報が記録される第二の管理領域を備えたことを特徴とする。
【０１９２】
更に、本発明の実施の形態は、第一の管理領域と、上記第一の管理領域によって管理されるプログラムが記録されているプログラム領域と、上記プログラム領域に記録されるプログラムに関する属性を示すプログラム属性情報を含む第二管理情報が記録される第二の管理領域とがディスクの内周から外周に向かってそれぞれ設けられて成り、上記第一の管理領域には、上記プログラム領域に記録されるプログラム毎の時間情報と、全プログラムの全時間情報と、上記第二の管理領域を示すための時間情報とを含む第一管理情報が記録されるものである。
【０１９３】
また、本発明の実施の形態は、上述の各ディスク状記録媒体において、さらに、上記プログラムのデータはプログラム毎に記録されたオーディオデータであると共に、上記第二の管理領域で管理されるプログラム属性情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報とするものである。
【０１９４】
また、本発明の実施の形態は、上述の各ディスク状記録媒体において、さらに、上記プログラムのデータはプログラム毎に記録されたオーディオデータであると共に、上記第二の管理領域で管理されるプログラム属性情報を、上記プログラムの最小レベルと、最大レベルと、平均レベルと、最頻度レベルとの内の少なくとも一つの情報とするものである。
【０１９５】
また、本発明の実施の形態は、第一の管理領域と、上記第一の管理領域によって管理されるプログラムが記録されているプログラム領域と、上記プログラム領域に記録されるプログラムに関する属性を示すプログラム属性情報を含む第二管理情報が記録される第二の管理領域とを有して成り、上記第一の管理領域には、上記プログラム領域に記録されるプログラム毎の時間情報と、全プログラムの全時間情報と、上記第二の管理領域を示すための時間情報とを含む第一管理情報が記録されるディスク状記録媒体から情報を再生するディスク再生方法であって、上記第一の管理領域にアクセスし上記第一の管理領域に記録されている上記第一管理情報を読み出す第一管理情報読み出し工程と、上記第一管理情報読み出し工程にて読み出される第一管理情報の内の上記第二の管理領域を示すための時間情報に基づいて、上記第二の管理領域の開始位置を検出する検出工程と、上記検出工程にて得られる検出結果に基づいて上記第二の管理領域の開始位置にアクセスし、上記第二管理情報を読み出す第二管理情報読み出し工程とを有するものである。
【０１９６】
また、本発明の実施の形態は、上記ディスク再生方法において、さらに、上記ディスク状記録媒体のプログラム領域にアクセスしプログラムを読み出すプログラム読み出し工程と、上記プログラム読み出し工程にて読み出されるプログラムの再生時に、上記第一管理情報読み出し工程にて読み出される上記第一管理情報と、上記第二管理情報読み出し工程にて読み出される上記第二管理情報とに基づいて、これら情報の表示を行う表示工程とを設けるものである。
【０１９７】
また、本発明の実施の形態は、上述の各ディスク再生方法において、さらに、上記プログラムのデータはプログラム毎に記録されたオーディオデータであると共に、上記第二管理情報読み出し工程にて読み出す上記第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報を含む情報とするものである。
【０１９８】
また、本発明の実施の形態は、上述の各ディスク再生方法において、さらに、上記プログラムのデータはプログラム毎に記録されたオーディオデータであると共に、上記第二管理情報読み出し工程にて読み出す第二管理情報を、上記プログラムの最小レベルと、最大レベルと、平均レベルと、最頻度レベルとの内の少なくとも一つのプログラム属性情報を含む情報とするものである。
【０１９９】
また、本発明の実施の形態は、上述の各上記ディスク再生方法において、さらに、ディスクの内周から外周に向かって、上記第一の管理領域、上記プログラム領域、上記第二の管理領域の順に配置されるディスク状記録媒体を再生するためのものである。
【０２００】
また、本発明の実施の形態は、第一の管理領域と、上記第一の管理領域によって管理されるプログラムのプログラムデータが記録されているプログラム領域と、上記プログラム領域に記録されるプログラムに関する属性を示すプログラム属性情報を含む第二管理情報が記録される第二の管理領域とを有して成り、上記第一の管理領域には、上記プログラム領域に記録されるプログラム毎の時間情報と、全プログラムの全時間情報と、上記第二の管理領域を示すための時間情報とを含む第一管理情報が記録されるディスク状記録媒体から情報を再生するディスク再生装置であって、上記第一の管理領域にアクセスして上記第一の管理領域に記録されている上記第一管理情報と、上記第二の管理領域の開始位置にアクセスし、上記第二管理情報とを読み出す読み出し手段と、上記読み出し手段にて読み出された第一管理情報として記録される第一管理情報の内の上記第二の管理領域を示すための時間情報に基づいて、上記第二の管理領域の開始位置を検出すると共に、この検出結果に基づいて上記読み出し手段の上記第二管理情報の読み出し動作を制御する制御手段とを有して成るものである。
【０２０１】
また、本発明の実施の形態は、上記読み出し手段と、上記制御手段とを有して成るディスク再生装置において、さらに、上記制御手段にて、上記読み出し手段が上記プログラム領域にアクセスしてプログラムを読み出す動作と、上記プログラムの再生時に、上記第一の管理領域で管理される第一管理情報と、上記第二の管理領域で管理される第二管理情報とに基づいて、これら情報を表示するための動作とが制御されるようにするものである。
【０２０２】
また、本発明の実施の形態は、上述の各ディスク再生装置において、さらに、上記プログラムのデータはプログラム毎に記録されたオーディオデータであると共に、上記第二の管理領域で管理される第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報を含む情報とするものである。
【０２０３】
また、本発明の実施の形態は、上述の各ディスク再生装置において、さらに、上記プログラムのデータはプログラム毎に記録されたオーディオデータであると共に、上記第二の管理領域で管理される第二管理情報を、上記プログラムの最小レベルと、最大レベルと、平均レベルと、最頻度レベルとの内の少なくとも一つのプログラム属性情報を含む情報とするものである。
【０２０４】
また、本発明の実施の形態は、上述の各ディスク再生装置において、ディスクの内周から外周に向かって、上記第一の管理領域、上記プログラム領域、上記第二の管理領域の順に配置されるディスク状記録媒体を再生するものである。
【０２０５】
本発明の実施の形態に係るプログラム領域と、第一の管理領域と、第二の管理領域を有して成るディスク状記録媒体によれば、上記第二の管理領域にて、上記プログラム領域に記録されるプログラムに関する属性を示すプログラム属性情報を含む第二管理情報が、従来のディスク再生装置にて読み出せる信号のフォーマットで記録される。
【０２０６】
また、本発明の実施の形態の第一の管理領域と、プログラム領域と、第二の管理領域とがディスクの内周から外周に向かって有して成るディスク状記録媒体によれば、上記第二の管理領域にて上記プログラム領域に記録されるプログラムに関する属性を示すプログラム属性情報を含む第二管理情報が、従来のディスク再生装置にて読み出せる信号のフォーマットで記録される。
【０２０７】
また、上述の各ディスク状記録媒体において、上記第二の管理領域で管理される第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報とからの少なくとも一つの情報とする場合、例えば上記ディスク状記録媒体のタイトル、演奏者の名前、演奏曲目、演奏曲の種類、いわゆるジャンル、上記ディスク状記録媒体を検索するためのコード番号、上記演奏者や上記演奏曲目等に関するメッセージの中の少なくとも一つを上記第二管理情報として、従来のディスク再生装置にて読み出せる信号のフォーマットで記録できる。
【０２０８】
また、上述の各ディスク状記録媒体において、上記第二の管理領域で管理される第二管理情報を、上記プログラムの最小レベルと、最大レベルと、平均レベルと、最頻度レベルとの内の少なくとも一つの情報とする場合、演奏曲の再生レベル、例えば最大レベル、最小レベル、平均レベル、最頻度レベルに関する情報の内の少なくとも一つを上記第二管理情報として、従来のディスク再生装置にて読み出せる信号のフォーマットで記録できる。
【０２０９】
また、本発明の実施の形態の第一管理情報読み出し工程と、検出工程と、第二管理情報読み出し工程とを有するディスク再生方法によれば、上記第一管理情報読み出し工程にて再生するディスク状記録媒体の第一の管理領域領域で管理されている第一管理情報、例えば第二の管理領域を示すための時間情報が読み出される。また、上記検出工程にて、上記第二の管理領域を示すための時間情報として記録されている位置から所定の演算を行い上記第二の管理領域の開始位置が検出される。また、上記第二管理情報読み出し工程にて、上記第二の管理領域に記録されている第二管理情報、すなわち上記プログラム領域に記録されるプログラムに関する属性を示すプログラム属性情報が読み出される。また、第二の管理領域に記録される第二管理情報の読み出しは、特別な復号化処理を必要としない。
【０２１０】
また、上記ディスク再生方法において、さらに、プログラム読み出し工程と、表示工程とを設ける場合、上記プログラム読み出し工程にて、上記第一の管理領域で管理される第一管理情報、すなわちプログラムに関する時間情報に基づいて上記プログラム領域にアクセスしてプログラムが読み出される。また、上記表示工程にて、上記プログラムの再生時に上記第二の管理領域で管理されている第二管理情報の表示が行われる。また、上記第二管理情報の読み出しは、特別な復号化処理を必要としない。
【０２１１】
また、上述の各ディスク再生方法において、さらに、上記プログラム読み出し工程にて読み出す上記第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報とからの少なくとも一つの情報とする場合、上記第二管理情報読み出し工程にて、上記第二管理情報、例えば上記ディスク状記録媒体のタイトル、演奏者の名前、演奏曲目、演奏曲の種類、いわゆるジャンル、上記ディスク状記録媒体を検索するためのコード番号、上記演奏者や上記演奏曲目等に関するメッセージの中の少なくとも一つのプログラム属性情報が読み出される。また、上記表示工程にて、上記プログラムの再生時に上記第二管理情報が表示される。また、上記第二管理情報の読み出しは、特別な復号化処理を必要としない。
【０２１２】
また、上述の各ディスク再生方法において、さらに、上記第二管理情報読み出し工程にて読み出す第二管理情報は、上記プログラムの最小レベルと、最大レベルと、平均レベルと、最頻度レベルとの内の少なくとも一つのプログラム属性情報とする場合、上記第二管理情報読み出し工程にて、上記第二管理情報、例えば演奏曲の再生レベル、例えば最大レベル、最小レベル、平均レベル、最頻度レベルに関する情報の内の少なくとも一つのプログラム属性情報が読み出される。また、上記第二管理情報の読み出しは、特別な復号化処理を必要としない。
【０２１３】
また、本発明の実施の形態の読み出し手段と制御手段とを有するディスク再生装置によれば、上記読み出し手段にて、ディスク状記録媒体の第一の管理領域にアクセスして上記第一の管理領域に記録されている第一管理情報、例えば第二の管理領域を示すための時間情報が読み出され、上記制御手段にて、上記第二の管理領域を示すための時間情報に基づいて、上記第二の管理領域の開始位置が検出される。さらに、この検出結果に基づいて、上記読み出し手段が上記第二の管理領域の開始位置にアクセスし、上記プログラム属性情報、すなわち上記プログラム領域に記録されるプログラムに関する属性を示す第二管理情報、すなわちプログラム属性情報を読み出す。このことで、上記第二管理情報を読み出すための第二の読み出し手段、あるいは通常のＲＦ信号がら得られるデータから上記第二管理情報を取り出すために復号化処理する復号化手段を特別に設けることなく、上記第二管理情報の読み出しを行うことができる。
【０２１４】
また、上記ディスク再生装置において、さらに、上記制御手段にて、上記読み出し手段が上記プログラム領域にアクセスしてプログラムを読み出す動作と、上記プログラムの再生時に、上記第一の管理領域で管理される第一管理情報と、上記第二の管理領域で管理される第二管理情報とに基づいて、これら情報を表示するための動作とが制御される場合、上記第二管理情報を読み出すための第二の読み出し手段、あるいは通常のＲＦ信号がら得られるデータを上記第二管理情報を取り出すために復号化処理する復号化手段を特別に設けることなく、上記第二管理情報の読み出し及びこの第二管理情報の表示を行うことができる。
【０２１５】
また、上述の各ディスク再生装置において、さらに、上記第二の管理領域で管理される第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報とする場合、上記制御手段にて、上記第二管理情報、例えば上記ディスク状記録媒体のタイトル、演奏者の名前、演奏曲目、演奏曲の種類、いわゆるジャンル、上記ディスク状記録媒体を検索するためのコード番号、上記演奏者や上記演奏曲目等に関するメッセージの中の少なくとも一つのプログラム属性情報を読み出す制御がなされる。また、上記プログラムの再生時に上記第二管理情報を表示するための制御がなされる。このことで、上記第二管理情報を読み出すための第二の読み出し手段、あるいは通常のＲＦ信号がら得られるデータを上記第二管理情報を取り出すために復号化処理する復号化手段を特別に設けることなく、上記第二管理情報の読み出し及びこの第二管理情報の表示を行うことができる。
【０２１６】
また、上述の各ディスク再生装置において、さらに、上記第二の管理領域で管理される第二管理情報を、上記プログラムの最小レベルと、最大レベルと、平均レベルと、最頻度レベルとの内の少なくとも一つのプログラム属性情報とする場合、上記制御手段にて、上記第二管理情報、例えば演奏曲の再生レベル、例えば最大レベル、最小レベル、平均レベル、最頻度レベルに関する情報の内の少なくとも一つのプログラム属性情報を読み出す制御がなされる。このことで、上記第二管理情報を読み出すための第二の読み出し手段、あるいは通常のＲＦ信号がら得られるデータから上記第二管理情報を取り出すために復号化処理する復号化手段を特別に設けることなく、上記第二管理情報の読み出し及びこの第二管理情報の表示を行うことができる。
【０２１７】
以上説明したように、本発明の実施の形態に係るプログラム領域と、第一の管理領域と、第二の管理領域とを有して成るディスク状記録媒体によれば、上記プログラム領域に記録されるプログラムに関する属性を示すプログラム属性情報を含む第二管理情報を上記第二の管理領域に記録することで、上記第二管理情報である上記プログラム属性情報を文字情報として記録することができる。さらに、この文字情報は、従来のディスク再生装置にて読み出せる信号のフォーマットで記録される。
【０２１８】
また、本発明の実施の形態の第一の管理領域と、プログラム領域と、第二の管理領域とがディスクの内周から外周に向かって有して成るディスク状記録媒体によれば、上記プログラム領域に記録されるプログラムに関するプログラム属性を示すプログラム属性情報を含む第二管理情報を上記第二の管理領域に記録することで、上記第二管理情報である上記プログラム属性情報を文字情報として記録することができる。さらに、上記第二の管理領域に関する時間情報を上記第一の管理領域に第一管理情報として記録することで、上記第二管理情報の読み出しは、特別な復号化処理をすることなく、通常通り上記第一の管理領域を読み出すことで実行可能になる。
【０２１９】
また、上述の各ディスク状記録媒体において、上記第二の管理領域に記録される第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報とした場合には、上記プログラム属性情報、すなわち上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報を上記第二の管理領域に文字情報として記録できる。さらに、上記第二の管理領域に関する時間情報を上記第一の管理領域に第一管理情報として記録することで、上記第二管理情報の読み出しは、特別な復号化処理をすることなく、通常通り上記第一の管理領域を読み出すことで実行可能になる。
【０２２０】
また、上述の各ディスク状記録媒体において、上記プログラムのデータはプログラム毎に記録されたオーディオデータであると共に、上記第二の管理領域に記録される第二管理情報を、上記プログラムの最小レベルと、最大レベルと、平均レベルと、最頻度レベルとの内の少なくとも一つのプログラム属性情報とした場合には、上記プログラム属性情報、すなわち上記プログラムの最小レベルと、最大レベルと、平均レベルと、最頻度レベルとの内の少なくとも一つの情報を上記第二の管理領域に記録できる。また、上記第二管理情報を、例えば再生レベルに合わせて演奏曲の順番を自動選択することに利用することが可能である。さらに、上記第二の管理領域に関する時間情報を上記第一の管理領域に第一管理情報として記録することで、上記第二管理情報の読み出しは、特別な復号化処理をすることなく、通常通り上記第一の管理領域を読み出すことで実行可能になる。
【０２２１】
また、本発明の実施の形態に係る第一管理情報読み出し工程と、検出工程と、第二管理情報読み出し工程とを有するディスク再生方法によれば、ディスク状記録媒体の第一の管理領域に記録される第一管理情報に基づいて、上記ディスク状記録媒体の第二の管理領域に記録される第二管理情報を読み出すことで、文字情報である上記第二管理情報を、通常通りに第一の管理領域を読み出すことで、特別な復号化処理を行う工程を設けなくても、読み出すことが可能になる。
【０２２２】
また、上記ディスク再生方法において、さらに、プログラム読み出し工程と、表示工程とを設けた場合には、上記第二管理情報読み出し工程にて読み出した第二管理情報を、特別な復号化処理を行う工程を設けなくても、通常通りに第一の管理領域を読み出した後、上記ディスク状記録媒体のプログラム領域に記録されるプログラムを読み出して、再生しているときに、文字表示させることが可能になる。また、文字情報である上記第二管理情報を、通常通りに第一の管理領域を読み出すことで、特別な復号化処理を行う工程を設けなくても、読み出すことが可能になる。
【０２２３】
また、上述の各ディスク再生方法において、さらに、上記プログラムのデータはプログラム毎に記録されたオーディオデータであり、上記第二管理情報読み出し工程にて読み出す上記第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報とした場合には、上記第二管理情報、すなわち上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報を読み出したり、文字表示することが、特別な復号化処理を行う工程を設けなくても、通常通りに第一の管理領域を読み出すことで可能になる。
【０２２４】
また、上述の各ディスク再生方法において、さらに、上記プログラムのデータはプログラム毎に記録されたオーディオデータであり、上記第二管理情報読み出し工程にて読み出す第二管理情報は、上記プログラムの最小レベルと、最大レベルと、平均レベルと、最頻度レベルとの内の少なくとも一つのプログラム属性情報とした場合には、上記第二管理情報、すなわち上記プログラムの最小レベルと、最大レベルと、平均レベルと、最頻度レベルとの内の少なくとも一つの情報を読み出したり、文字表示することが、特別な復号化処理を行う工程を設けなくても、通常通りに第一の管理領域を読み出すことで可能になる。また、上記第二管理情報を、例えば再生レベルに合わせて演奏曲の順番を自動選択することに利用することが可能である。また、文字情報である上記第二管理情報を、通常通りに第一の管理領域を読み出すことで、特別な復号化処理を行う工程を設けなくても、読み出すことが可能になる。
【０２２５】
また、本発明の実施の形態に係る読み出し手段と制御手段とを有するディスク再生装置によれば、ディスク状記録媒体の第一の管理領域に記録される第一管理情報に基づいて、上記ディスク状記録媒体の第二の管理領域に記録される第二管理情報を、上記読み出し手段にて読み出すことができる。また、文字情報である上記第二管理情報は、上記読み出し手段で通常通りに第一の管理領域を読み出すことで、特別な復号化処理を行う手段を設けなくても、読み出し可能になる。
また、上記ディスク再生装置において、さらに、上記制御手段にて、上記プログラム領域にアクセスしてプログラムを読み出し、上記プログラムの再生時に、上記第一の管理領域に記録される第一管理情報と、上記第二の管理領域に記録される第二管理情報とに基づいて、これら情報を表示するための制御が行われる場合には、上記ディスク状記録媒体の第二の管理領域を読み出して得られる第二管理情報を、特別な復号化処理を行う手段を設けなくても、通常通りに上記読み出し手段にて第一の管理領域を読み出した後、上記ディスク状記録媒体のプログラム領域に記録されるプログラムを読み出して、再生しているときに、文字表示させることが可能になる。
【０２２６】
また、上述の各ディスク再生装置において、さらに、上記プログラムのデータはプログラム毎に記録されたオーディオデータであると共に、上記第二の管理領域に記録される第二管理情報を、上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つのプログラム属性情報とした場合には、上記第二管理情報、すなわち上記ディスク状記録媒体の名称情報と、上記プログラムの演奏者情報と、上記プログラム毎の名称情報と、上記プログラムの種類情報と、上記ディスク状記録媒体を識別するコード番号と、上記プログラムに関するメッセージ情報との内の少なくとも一つの情報を読み出したり、文字表示することが、特別な復号化処理を行う手段を設けなくても、通常通りに第一の管理領域を読み出すことで可能になる。
【０２２７】
また、上述の各ディスク再生装置において、さらに、上記プログラムのデータはプログラム毎に記録されたオーディオデータであると共に、上記第二の管理領域に記録される第二管理情報を、上記プログラムの最小レベルと、最大レベルと、平均レベルと、最頻度レベルとの内の少なくとも一つのプログラム属性情報とした場合には、上記第二管理情報、すなわち上記プログラムの最小レベルと、最大レベルと、平均レベルと、最頻度レベルとの内の少なくとも一つの情報を読み出したり、文字表示することが、特別な復号化処理を行う手段を設けなくても、通常通りに第一の管理領域を読み出すことで可能になる。また、上記第二管理情報を、例えば再生レベルに合わせて演奏曲の順番を自動選択することに利用することが可能になり、操作性が向上する。
【０２２８】
なお、本発明は上述した実施の形態のみに限定されるものではなく、本発明の要旨を逸脱しない範囲において種々の変更が可能であることは勿論である。
【図面の簡単な説明】
【０２２９】
【図１】オーディオ用光ディスクに適用した本発明に係るディスク状記録媒体を模式的に示す図である。
【図２】上記オーディオ用光ディスクに記録されるデータ領域を説明する図である。
【図３】上記オーディオ用光ディスクの第１ＴＯＣ領域のデータの一例を示す図である。
【図４】上記オーディオ用光ディスクの第２ＴＯＣ領域のデータの一例を示す図である。
【図５】上記オーディオ用光ディスクの第２ＴＯＣ領域の文字データを有するデータビットのフォーマット説明する図である。
【図６】上記オーディオ用光ディスクの第二管理情報について説明する図である。
【図７】本発明に係るディスク状記録媒体を再生するためのディスク再生装置の動作を説明するフローチャートである。
【図８】本発明に係るディスク状記録媒体再生するためのディスク再生装置の要部の概略を示すをブロック図である。
【図９】従来のオーディオ用光ディスクに記録されるデータ領域を説明する図である。
【図１０】従来のディスク再生装置の要部を示すブロック図である。
【図１１】１フレームのサブコード情報のデータを説明する図である。
【図１２】図１１のフレームを９８フレーム蓄積したサブコーディングフレームフォーマットを説明する図である。
【図１３】図１２のサブコーディング部を横にした図である。
【図１４】上記サブコーディングデータであるＰチャンネル及びＱチャンネルのデータを説明する図である。
【図１５】Ｑチャンネルのデータの構造を説明する図である。
【図１６】上記Ｑチャンネルのデータのコントロールビットデータを説明する図である
【図１７】従来のＴＯＣのＱチャンネルのデータを示す図である。
【符号の説明】
【０２３０】
１  第１ＴＯＣ領域、  ２  第１プログラム、  ３  第１リードアウト、  ４  第２ＴＯＣ領域、  ５  第２プログラム、  ６  第２リードアウト、  １１  プログラム番号部、  １２  属性部、  １３  文字データ部、  ２２  ピックアップ、  ３２  サブコード検出部、  ３３  第１ＲＡＭ、  ３４  第２ＲＡＭ、  ３５  制御部、  ３６  操作部、  ３７  表示部
【図１】
2004253132.tif 000003
【図２】
2004253132.tif 000004
【図３】
2004253132.tif 000005
【図４】
2004253132.tif 000006
【図５】
2004253132.tif 000007
【図６】
2004253132.tif 000008
【図７】
2004253132.tif 000009
【図８】
2004253132.tif 000010
【図９】
2004253132.tif 000011
【図１０】
2004253132.tif 000012
【図１１】
2004253132.tif 000013
【図１２】
2004253132.tif 000014
【図１３】
2004253132.tif 000015
【図１４】
2004253132.tif 000016
【図１５】
2004253132.tif 000017
【図１６】
2004253132.tif 000018
【図１７】
2004253132.tif 000019